(57)【要約】【課題】波の波動という二酸化炭素の排出が全くない、無尽蔵の自然エネルギーを利用して発電する。【解決手段】海面Ｓから適宜間隔を存し波動に対し安定した状態に固定された基台１上に発電機３が設けられている。この基台１の下面２に水中まで垂下連通する案内筒部４が設けられている。この案内筒部４内に、上下摺動して発電機３に波動による押圧力を加える押圧部７と、押圧部７の下部とピストン棒８により連結され波動により海面Ｓ上を上下動自在に揺動するホバー９が配置されている【選択図】図１
2010065582.tif 000002
【特許請求の範囲】
【請求項１】
水面に浮かぶホバーの波動による上下動の押圧により発電機を作動させる波動を利用した発電装置であって、水面から適宜間隔を存し波動に対し安定した状態に固定された基台上に発電機を設ける一方、この基台の下面に水中まで垂下連通させて案内筒部を設け、この案内筒部内に、上下摺動して上記発電機に波動による押圧力を加える押圧部と、押圧部の下部と連結され波動により水面上を上下動自在に揺動するホバーとを配置して構成されたことを特徴とする波動を利用した発電装置。
【請求項２】
前記発電機は回転して発電する回転発電機により形成され、上記押圧部と回転発電機までの間は中継部材により連動連結されており、この中継部材は、前記押圧部に連結棒により先端側を連結して回転自在のクランクと、クランクと同軸のはずみ車と、はずみ車と回転発電機の回転軸に懸回するベルトとから形成されて構成されたことを特徴とする請求項１記載の波動を利用した発電装置。
【請求項３】
前記発電機は加圧により発電する圧電素子により形成され、この発電素子は前記押圧部により押圧可能に配置されて構成されたことを特徴とする請求項１の波動を利用した発電装置。
【請求項４】
前記案内筒内に配置されるホバーは案内筒部の内壁と面する部位が球面に形成されて構成されたことを特徴とする請求項１、２又は３記載の波動を利用した発電装置。
【発明の詳細な説明】
【技術分野】
【０００１】
本発明は、波の波動、すなわち、波の上下動により生じる圧力により発電機を作動させて発電する波動を利用した発電装置に関するものである。
【背景技術】
【０００２】
現在、地球は化石燃料の大量消費の結果として、二酸化炭素が大量に排出されている。そして、この二酸化炭素の排出は、地球の温暖化の一因ともされており、地球上の動植物の生命を脅かすばかりでなく、人類滅亡の恐れを抱かせる事態となるほどに問題が深刻化している。そこで、二酸化炭素を大量に排出する化石燃料を使用するの代替物が求められている。その種代替物のひとつとして、小麦、とうもろこし等食料農産物を原料として生産されるバイオメタノールがあるが、食料農産物を材料としていることから、食料品の品不足、高騰等を招くとして必ずしも本来の目的を達成していない。この他、風を利用した風力発電があるが、風の吹きやすい設置環境はどこでも求めることができるものではない。
これら代替のエネルギーは、それぞれすぐれた特徴を持つものであり、自然エネルギーを利用するものが、二酸化炭素の排出を抑制するものとして優れていることはまちがいのないところである。
本発明はかかる観点より、波の波動という自然エネルギーを利用して発電することにより、無尽蔵で、場所を選ばずに発電でき、二酸化炭素の排出が全くない発電装置を提供しようとするものである。
【特許文献１】特許第２９３７６０９号公報
【発明の開示】
【発明が解決しようとする課題】
【０００３】
解決しようとする問題点は、波の波動という二酸化炭素を排出することのないどこにでもある無尽蔵の自然のエネルギーを利用して電力を確保する点である。
【課題を解決するための手段】
【０００４】
本発明は、波の波動を有効に利用して発電することにより、二酸化炭素を排出することなく電力を得ることを最も主要な特徴とする。
【発明の効果】
【０００５】
本発明の波の波動を利用した発電装置は、常時波打つ上下動の波動を利用して発電機を発電させることができるので、二酸化炭素の排出が全くのないクリーンな電力を確保できるという利点がある。
【発明を実施するための最良の形態】
【０００６】
水面上に浮かばせたホバーが波動により上下動することにより、発電機を回転させるという目的を、簡単かつ最小の部品点数で実現した。
【実施例１】
【０００７】
図１は、本発明装置の第１実施例の全体図であって、１は海面（水面）Ｓ上に配置された基台である。この基台１は、波浪により揺動せずに完全に安定している場所、例えば、水底、陸地に固定される他、波浪により比較的揺動が少なく安定している船舶、例えば大型船に固定され、あるいは大型船の甲板自体を利用して使用される。この基台１は図示を省略したが、距離を測るセンサ等を備えた自動昇降装置により下面２と海面Ｓ（後述するホバー９の最浮上位置）との間が常時所定間隔ｌとなるように調整される。
【０００８】
上記基台１上には、回転して発電する回転型の発電機３が配置されている。また、基台１の下面には筒状の案内筒部４が海中まで連通垂下させて設けられている。この案内筒部４は上部の比較的小径のスライダー部５と、スライダー部５に連通した下部の比較的大径のシリンダー部６とから構成される。
【０００９】
上記スライダー部５には押圧部７が上下摺動自在に配置されており、この押圧部７は後述するピストン棒８によりホバー９と連結されている。。
【００１０】
一方、、シリンダー部６にはピストン棒８に連結されたホバー９が海面Ｓに浮いた状態で上下動自在に揺動配置されている。ホバー９は内部に空気が注入された風船、あるいは発砲スチロール製等波動により揺動しやすい軽量材質を利用して形成されている。このホバー９はシリンダー部６の内壁１０と微小間隔を存して配置されており、上方向の波動によりシリンダー部６の上面、すなわち最上部まで浮上可能となっている。また、このホバー９は図に示すように、シリンダー部６の内壁１０と面する部位は、図１に示すとおり、球面に形成されている。このことにより、ホバー９はシリンダー部６内で内壁１０に引っかりが生じるような事態を回避して円滑に上下揺動することができるようになっている。
【００１１】
また、上記シリンダー部６の下端には抜止係止部６ａが設けられている。この抜止係止部６ａは、ホバー９のシリンダー部６から外部への抜け出しを防止するものである。
【００１２】
また、上記押圧部７と前記発電機３までの間は中継部材１１により連動連結されている。この中継機器１１は発電機３同様基台１に固定されており、前記押圧部７に連結棒１２により先端側を連結して回転自在のクランク１３と、クランク１３と軸心１４の同軸のはずみ車１５と、はずみ車１５及び発電機３の回転軸１６に懸回するベルト１７とから形成されて構成されている。なお、上記押圧部７はその運動中心線Ｃがクランク１３の軸心１４を通らずに偏らせて設けられている。
【００１３】
かかる構成において、シリンダー部６内では、ホバー９が水面Ｓに浮かんでおり、波の波動を受けることにより、シリンダー部６の内壁１０内を揺動しながら自在に上下動を繰り返す。この際、ホバー９はシリンダー部６の内壁１０と面する部位が球面に形成されているので、ホバー９がシリンダー部６の内壁１０に引っかかるというような事態が生ずることはなく、ホバー９は極めて円滑にシリンダー部６内を上下揺動する。このホバー９の上下揺動に伴い、ホバー９にピストン棒８を介して連結された押圧部７がスライダー部５内を案内されて上下摺動する。この押圧部７の上方向の押圧力は、連結棒１２を介してクランク１３に伝達されてクランク１３を回転させる。この際、発電機３及び中継部材１１は波浪に影響を受けない、あるいは受けにくい部位に固定された基台１に配置されていることから、押圧部７からの押圧力は確実にクランク１３に伝達され、クランク１３を回転させることができる。クランク１３が回転すると軸心１４が同軸のはずみ車１５は同時に回転することになり、その回転力はベルト１７を介して発電機３の回転軸１６に伝達されて回転させ、これにより発電機３が発電することになる。
【００１４】
このように、地球上どこにでもある波の波動という自然力を利用して発電ができるので、二酸化炭素の排出のないクリーンなエネルギーを永久に提供することができる。
【００１５】
第２図は第２実施例の全体図である。このものは、第１実施例のものが、発電装置として回転型の発電機３を使用したものであるのに対し、半導体の圧電素子を使用した発電機２１である。圧電素子を使用した発電機２１は案内筒部４のスライダー部５の上部に位置して基台１上に配置される。
【００１６】
この第２実施例は、シリンダー部６内では、ホバー９が水面Ｓに浮かんでおり、波の波動を受けることにより、シリンダー部６内で揺動自在に上下動を繰り返すと、このホバー９の上下揺動に伴い、ホバー９にピストン棒８を介して連結された押圧部７がスライダー部５内を上下摺動する。この押圧部７の押圧が圧電素子を使用した発電機２１を加圧し、発電機２１が発電する。
【００１７】
この第２実施例のものは、第１実施例の回転型の発電機３を使用したものと異なり、中継部材１１がなくとも、ホバー９による押圧部７の上方向の押圧のみにより発電することができるので、より簡単な構成にすることができる。
【産業上の利用可能性】
【００１８】
波の波動という自然エネルギーを利用して発電することによって、水のある場所なら、場所を選ばずにどこでも発電でき、しかも。無尽蔵に発電できる。
【図面の簡単な説明】
【００１９】
【図１】全体構成図である。（第１実施例）
【図２】全体構成図である。（第２実施例）
【符号の説明】
【００２０】
１    基台
２    下面
３    発電機
４    案内筒部
５    スライダー部
６    シリンダー部
７    押圧部
８    ピストン部
９    ホバー
１０    内壁
１１    中継部材
１２    連結棒
１３    クランク
１４    軸心
１５    はずみ車
１６    ベルト
２１    発電機
Ｓ    海面
【図１】
2010065582.tif 000003
【図２】
2010065582.tif 000004